(57)【要約】【課題】洗浄槽や洗浄キャリアの表面が侵食されることで発生するパーティクルがフォトマスク基板に付着することを防止しながら、超音波洗浄により基板表面のパーティクルを効率的に除去する。【解決手段】フォトマスク基板を濾過循環させた洗浄液に浸漬し、洗浄槽や洗浄キャリアの表面からパーティクルが発生しないように、超音波のパワー密度をキャビテーションの発生する閾値以上の初期値とした後、当該洗浄槽での超音波洗浄を終了するまでの間に、超音波のパワー密度をこの初期値から段階的及び／又は連続的低減することを特徴とするフォトマスク基板の洗浄方法。【選択図】図１
2010266728.tif 000002
【特許請求の範囲】
【請求項１】
洗浄液を貯えた洗浄槽に、フォトマスク基板を浸漬して超音波洗浄するフォトマスク基板の洗浄方法において、洗浄液を濾過循環させながら、超音波のパワー密度を任意の初期値とした後、当該洗浄槽での超音波洗浄を終了するまでの間に、超音波のパワー密度をこの初期値から段階的又は／及び連続的に低減することを特徴とするフォトマスク基板の洗浄方法。
【請求項２】
超音波のパワー密度の任意の初期値がキャビテーションの発生する閾値以上であることを特徴とする請求項１に記載のフォトマスク基板の洗浄方法。
【請求項３】
洗浄液をフォトマスク基板下部から上部へ、又は、フォトマスク基板上部から下部に均一に流しながら、超音波のパワー密度をキャビテーションの発生する閾値以上とした後、段階的及び／又は連続的に低減していき、キャビテーションの発生する閾値未満のパワー密度に至った後、そのパワー密度を保持した状態で、洗浄液の循環量が洗浄槽の容積以上になるまで印加することを特徴とする請求項１又は２に記載のフォトマスク基板の洗浄方法。
【請求項４】
超音波を停止する直前の洗浄液中のパーティクル量として、０．５μｍ以上の粒子で３個／ｃｍ３以下であることを特徴とする請求項１〜３のいずれかに記載のフォトマスク基板の洗浄方法。
【請求項５】
前記洗浄液が、純水、アルカリ洗剤、アンモニア水素水、オゾン水のいずれかであることを特徴とする請求項１〜４のいずれかに記載のフォトマスク基板の洗浄方法。
【請求項６】
フォトマスク基板洗浄用の洗浄槽であって、洗浄槽は、洗浄液を貯える空間、洗浄槽内に設けられた超音波振動子とその制御装置、洗浄槽内に基板を保持するための洗浄キャリア並びに洗浄液の導入口及び流出口、洗浄槽に外付けされた貯液槽とを少なくとも含んでなり、
基板は、基板を保持するための洗浄キャリアに保持された状態で洗浄液に浸漬させ、
導入口が基板下部に位置する場合は、流出口の位置は基板上部に設けられ、又は、導入口が基板上部に位置する場合は、流出口の位置は基板下部に設けられ、
導入口から導入された洗浄液は、流出口に向かって流れを形成し、この流れは、洗浄キャリアによって保持された基板の表面を通過し、
流出口から流出した洗浄液は、液中パーティクルカウンターのチューブが挿入された貯液槽に貯えられ、
貯液槽に貯えられた洗浄液は濾過装置を経て再度導入口から導入・循環され、
超音波振動子は、洗浄液及び基板に超音波による振動を与えるべく導入口の近傍に配置され、
超音波振動子の制御装置は、超音波のパワー密度の調整が可能で、かつ一定のパワー密度に保持可能である、
ことを特徴とする、請求項１〜５のいずれかに記載のフォトマスク基板の洗浄方法に用いる装置。
【請求項７】
超音波振動子の制御装置が、プログラムにより自動的に超音波のパワー密度をキャビテーションの発生する閾値以上の初期値から段階的及び／又は連続的に低減していき、キャビテーションの発生する閾値未満のパワー密度に至った後、そのパワー密度を保持する機能と、貯液槽の液中パーティクルが所定の値以下になったことを検知して超音波を停止する機能とを備えたことを特徴とする請求項６記載の装置。
【発明の詳細な説明】
【技術分野】
【０００１】
本発明は、フラットパネルディスプレイの露光装置に用いるフォトマスク基板の洗浄方法及び洗浄装置に関する。
【背景技術】
【０００２】
近年、液晶などのフラットパネルディスプレイでは、大型化と高精細化が同時に進んでおり、フラットパネルディスプレイの製造に必要なフォトマスクは、大きくなる一方で、欠陥密度の低減が求められている。フォトマスク基板の欠陥密度を下げるにはフォトマスク基板の研磨後の洗浄が重要であり、例えば熱濃硫酸による浸漬洗浄や界面活性剤によるスクラブ洗浄などがなされてきた。
【０００３】
上記の薬液による洗浄や純水によるリンスにおいて、超音波による物理洗浄を付加することでフォトマスク基板の表面に存在するパーティクルがより効果的に除去されることが知られている。超音波洗浄については、洗浄物により強く・均一に超音波が照射されるように、洗浄槽の下面に振動子を固定して洗浄槽の下端部から均一に洗浄液を注入する（例えば特許文献１参照）、洗浄物の位置で超音波の強度を測ってフィードバックする（例えば特許文献２参照）、負荷変動に対して出力を一定にする（例えば特許文献３参照）などの方法が提案されている。
【０００４】
しかし、これらの方法では、超音波洗浄をする際に洗浄槽や基板を保持する洗浄キャリアから発生するパーティクルが基板に付着するという問題が生じていた。
【先行技術文献】
【特許文献】
【０００５】
【特許文献１】特開平０５−１７７１７５号公報
【特許文献２】特開平０８−０１０７３２号公報
【特許文献３】特開平０８−１２６８７４号公報
【発明の概要】
【発明が解決しようとする課題】
【０００６】
本発明の課題は、洗浄槽や洗浄キャリアからのパーティクル付着を防止しながら、フォトマスク基板から超音波洗浄によりパーティクルを効率的に除去し、表面パーティクルの量が少ない大型のフォトマスク基板が得られる洗浄方法を提供することにある。
【課題を解決するための手段】
【０００７】
本発明者らは、上記課題を解決するために鋭意検討した結果、フォトマスク基板を、濾過循環させた洗浄液に浸漬し、超音波のパワー密度を任意の初期値に設定した後、当該洗浄槽での超音波洗浄を終了するまでの間に、超音波のパワー密度をこの初期値から段階的及び／又は連続的に低減する超音波洗浄を行うことにより、洗浄時の洗浄槽や基板を保持する洗浄キャリアから発生するパーティクルの影響を抑制して、フォトマスク基板の表面パーティクルの量を低減することが可能であることを見出し、本発明を完成するに至った。
【０００８】
本発明の態様は以下の通りである。
【０００９】
（１）洗浄液を貯えた洗浄槽に、フォトマスク基板を浸漬して超音波洗浄するフォトマスク基板の洗浄方法において、洗浄液を濾過循環させながら、超音波のパワー密度を任意の初期値とした後、当該洗浄槽での超音波洗浄を終了するまでの間に、超音波のパワー密度をこの初期値から段階的又は／及び連続的に低減することを特徴とするフォトマスク基板の洗浄方法。
【００１０】
（２）超音波のパワー密度の任意の初期値がキャビテーションの発生する閾値以上であることを特徴とする（１）に記載のフォトマスク基板の洗浄方法。
【００１１】
（３）洗浄液をフォトマスク基板下部から上部へ、又は、フォトマスク基板上部から下部に均一に流しながら、超音波のパワー密度をキャビテーションの発生する閾値以上とした後、段階的及び／又は連続的に低減していき、キャビテーションの発生する閾値未満のパワー密度に至った後、そのパワー密度を保持した状態で、洗浄液の循環量が洗浄槽の容積以上になるまで印加することを特徴とする（１）又は（２）に記載のフォトマスク基板の洗浄方法。
【００１２】
（４）超音波を停止する直前の洗浄液中のパーティクル量として、０．５μｍ以上の粒子で３個／ｃｍ３以下であることを特徴とする（１）〜（３）のいずれかに記載のフォトマスク基板の洗浄方法。
【００１３】
（５）前記洗浄液が、純水、アルカリ洗剤、アンモニア水素水、オゾン水のいずれかであることを特徴とする（１）〜（４）のいずれかに記載のフォトマスク基板の洗浄方法。
【００１４】
（６）フォトマスク基板洗浄用の洗浄槽であって、洗浄槽は、洗浄液を貯える空間、洗浄槽内に設けられた超音波振動子とその制御装置、洗浄槽内に基板を保持するための洗浄キャリア並びに洗浄液の導入口及び流出口、洗浄槽に外付けされた貯液槽とを少なくとも含んでなり、
基板は、基板を保持するための洗浄キャリアに保持された状態で洗浄液に浸漬させ、
導入口が基板下部に位置する場合は、流出口の位置は基板上部に設けられ、又は、導入口が基板上部に位置する場合は、流出口の位置は基板下部に設けられ、
導入口から導入された洗浄液は、流出口に向かって流れを形成し、この流れは、洗浄キャリアによって保持された基板の表面を通過し、
流出口から流出した洗浄液は、液中パーティクルカウンターのチューブが挿入された貯液槽に貯えられ、
貯液槽に貯えられた洗浄液は濾過装置を経て再度導入口から導入・循環され、
超音波振動子は、洗浄液及び基板に超音波による振動を与えるべく導入口の近傍に配置され、
超音波振動子の制御装置は、超音波のパワー密度の調整が可能で、かつ一定のパワー密度に保持可能である、
ことを特徴とする、（１）〜（５）のいずれかに記載のフォトマスク基板の洗浄方法に用いる装置。
【００１５】
（７）超音波振動子の制御装置が、プログラムにより自動的に超音波のパワー密度をキャビテーションの発生する閾値以上の初期値から段階的及び／又は連続的に低減していき、キャビテーションの発生する閾値未満のパワー密度に至った後、そのパワー密度を保持する機能と、貯液槽の液中パーティクルが所定の値以下になったことを検知して超音波を停止する機能とを備えたことを特徴とする（６）記載の装置。
【００１６】
以下、本発明を詳細に説明する。
【００１７】
本発明は洗浄液を濾過循環させながら、超音波のパワー密度を任意の初期値に設定した後、当該洗浄槽での超音波洗浄を終了するまでの間に、超音波のパワー密度をこの初期値から段階的及び／又は連続的に低減することを特徴とするフォトマスク基板の洗浄方法である。
【００１８】
本発明における超音波のパワー密度とは、超音波振動子にかかる電力を超音波振動子が取り付けられた振動板の面積で割ったものを用いる。
【００１９】
フォトマスク基板に付着しているパーティクルは超音波のパワー密度が高いほど除去されやすいが、パワー密度が高いと洗浄槽や洗浄キャリアの表面部分が侵食されるため、パーティクルの発生量が多くなり、基板を引き上げるときに基板にパーティクルが再付着しやすい。また、超音波のパワー密度が低いと洗浄槽や洗浄キャリアからのパーティクルの発生量は少ないが、基板に付着しているパーティクルが除去されにくくなる。
【００２０】
そこで、超音波のパワー密度を任意の初期値に設定した後、当該洗浄槽での洗浄を終了するまで段階的及び／又は連続的にパワー密度を低減していくことで、洗浄槽や洗浄キャリアの表面から発生するパーティクルを効果的に除去することが可能となる。
【００２１】
超音波のパワー密度を任意の初期値に設定する方法は、最初から初期値に設定したパワー密度に相当する電力を超音波振動子に印加して一定時間置く方法が好ましいが、最初は低いパワー密度とし、その後、パワー密度を上げていき初期値に到達した後、一定時間置く方法でもよい。
【００２２】
なお、超音波のパワー密度を低減していく方法としては、段階的に低減していく方法、連続的に低減していく方法、またはそれらを組み合わせた方法であっても良い。
【００２３】
パワー密度の初期値としてはキャビテーション（空洞）が発生する閾値以上であることが好ましい。
【００２４】
また、超音波を停止する直前の超音波のパワー密度はキャビテーションが発生する閾値未満であることが好ましい。
【００２５】
本発明でいうキャビテーションとは、洗浄液中に超音波を印加すると加圧の部分と負圧の部分が交互に生じ、この負圧の時に液体が引き裂かれて生じるものである。キャビテーションは液体分子どうしが衝突して衝撃波が局所的に発生し、周囲の汚れや付着物等を剥離したり、洗浄液を攪拌する。キャビテーション発生の閾値となる超音波のパワー密度は超音波の周波数や洗浄液や溶存気体により異なるが、５０〜２００ｋＨｚの周波数で超音波洗浄を行った場合、０．５〜２Ｗ／ｃｍ２の範囲と考えられる。
【００２６】
本発明では洗浄槽中の洗浄液を濾過循環させる必要がある。基板に付着していたパーティクルや、洗浄槽や洗浄キャリアから発生するパーティクルを洗浄液中から取り除くことができるからである。また、洗浄液を濾過循環するとともに、新たに供給しても良い。
【００２７】
濾過した洗浄液はフォトマスク基板下部から上部へ均一に、又は、フォトマスク基板上部から下部に均一に流すことが好ましい。具体的には、濾過した洗浄液の導入を基板下部から均一に行い上部から均一にオーバーフローさせるか、又は、基板上部の導入口から均一に導入し、基板下部で均一に吸引する方法などが挙げられる。
【００２８】
また、フォトマスク基板右側面部から左側面部に、又は、フォトマスク基板左側面部から右側面部に均一に流すことも可能である。
【００２９】
循環させる流量としては、洗浄槽の大きさにもよるが、１００〜６００Ｌ／ｍｉｎであることが好ましい。１００Ｌ／ｍｉｎより小さいと、液中のパーティクル量が多くなり、６００Ｌ／ｍｉｎより大きいと超音波による洗浄能力が低下したり、配管の水圧が高くすぎて配管部品が傷む恐れがあるからである。
【００３０】
本発明における洗浄時間は特に限定されるものではないが、初期値として認定したパワー密度の超音波を印加する時間は、１〜３０分であることが好ましい。
【００３１】
また、超音波を停止する直前のパワー密度で印加する時間は、洗浄液の循環量が洗浄槽の容積以上となる時間とすることが好ましい。このようにすることで、超音波を停止する直前の洗浄槽や洗浄キャリアからの発塵を僅かなものとし、かつ、洗浄液の循環により洗浄槽内のパーティクルを少ないものとして、フォトマスク基板へのパーティクル付着を大幅に減らすことができるからである。
【００３２】
なお、超音波を停止する目安としては、上記の方法で測定した洗浄液中のパーティクル量が０．５μｍ以上の粒子で３個／ｃｍ３以下とすること好ましく、１個／ｃｍ３以下とすることがより好ましい。洗浄液中のパーティクル量を０．５μｍ以上の粒子で３個／ｃｍ３より大きくすると、大型フォトマスク基板へのパーティクル付着が懸念されるからである。
【００３３】
洗浄液中のパーティクル量は、例えば洗浄液を濾過する前に一時的に貯液しておく貯液槽に液中パーティクルカウンターのチューブを投入して、シリンジポンプにより洗浄液を吸い込み、レーザー光の散乱により測定することができる。
【００３４】
本発明で用いる洗浄液としては、純水、アルカリ洗剤、アンモニア水素水、オゾン水のいずれかであることが好ましい。また、例えば洗浄槽を４槽設け、それぞれにアルカリ洗剤→オゾン水→アンモニア水素水→純水を貯え、この順番に超音波洗浄を行い、そのいずれか、又は全てで、超音波のパワー密度を段階的及び／又は連続的に下げることを行っても良い。
【００３５】
なお、本発明の洗浄方法を実施する前にフォトマスク基板に対して熱濃硫酸による浸漬洗浄や界面活性剤によるスクラブ洗浄等の予備洗浄を行っても良い。
【００３６】
本発明の洗浄方法を実施する際は、フォトマスク基板洗浄用の洗浄槽であって、洗浄槽は、洗浄液を貯える空間、洗浄槽内に設けられた超音波振動子とその制御装置、洗浄槽内に基板を保持するための洗浄キャリア並びに洗浄液の導入口及び流出口、洗浄槽に外付けされた貯液槽とを少なくとも含んでなる装置を用いることが好ましい。
【００３７】
当該装置において基板は、基板を保持するための洗浄キャリアに保持された状態で洗浄液に浸漬させる。
【００３８】
当該装置において導入口と流出口は、導入口が基板下部に位置する場合は、流出口の位置は基板上部に設ける必要があり、導入口が基板上部に位置する場合は、流出口の位置は基板下部に設ける必要がある。
【００３９】
導入口から導入された洗浄液は、流出口に向かって流れを形成し、この流れは、洗浄キャリアによって保持された基板の表面を通過し、液中パーティクルカウンターのチューブを挿入された貯液槽に貯えられ、濾過装置を経て再度導入口から導入・循環される。
【００４０】
当該装置において超音波振動子は、洗浄液及び基板に超音波による振動を与えるべく導入口の近傍に配置され、超音波振動子の制御装置は、超音波のパワー密度の調整が可能で、かつ一定のパワー密度に保持可能である。
【００４１】
なお、超音波振動子の制御装置は、プログラムにより自動的に超音波のパワー密度を任意の値から低減していき、キャビテーションの発生する閾値未満のパワー密度に至った後、そのパワー密度を保持する機能と、貯液槽の液中パーティクルが所定の値以下になったことを検知して超音波を停止する機能とを備えていることがより好ましい。
【発明の効果】
【００４２】
本発明により、洗浄槽や洗浄キャリアからのパーティクル付着を防止しながら、フォトマスク基板から超音波洗浄により表面パーティクルを効率的に除去することが可能で、大型のフォトマスク基板でも表面パーティクルの量が少ないものが得られる。
【図面の簡単な説明】
【００４３】
【図１】本発明の洗浄方法で用いる洗浄槽の一例である。
【実施例】
【００４４】
以下、実施例により本発明を更に具体的に説明するが、本発明はこれに限定されるものではない。なお、本実施例では図１に示す洗浄槽を４つ並べた多槽式洗浄機を用いた。
【００４５】
図１の洗浄槽において、洗浄槽下部の導入口１３から流れ出る洗浄液１１が洗浄槽１２に満たされており、オーバーフローした洗浄液１１は貯液槽１４で受け、循環ポンプ１５、フィルター１６を経て再び洗浄槽下部の導入口１３に戻る仕組みになっている。超音波振動子１７は洗浄槽下部及び／又は側面に配置されており、超音波のパワー密度は超音波電源１８の出力で制御する。フォトマスク基板１９は洗浄キャリア２０で保持している。
【００４６】
（実施例１）
図１と同様の洗浄槽を並べた４槽式洗浄機の第１槽の洗浄液を、非イオン系界面活性剤に水酸化カリウムを微量添加してｐＨを１０とした洗剤、第２槽の洗浄液を冷純水、第３槽の洗浄液を冷純水、第４槽の洗浄液を温純水とした。ここで各洗浄槽１２の容積は１２００Ｌ、各貯液槽１４の容積は４００Ｌであり、各々の洗浄液は循環ポンプ１５を用いて３００Ｌ／ｍｉｎで０．２μｍのフィルター１６を通して循環させた。また、第２〜４槽では純水の新液（第２〜３槽は２５℃、第４槽は４０℃）を貯液槽１４の上部から３０Ｌ／ｍｉｎ供給し、排出口２１から３０Ｌ／ｍｉｎ排出を行った。
【００４７】
次に、鏡面研磨した石英ガラス製の大型フォトマスク基板１９（大きさ１２２０×１４００ｍｍ）を準備して、以下の手順で洗浄した。
【００４８】
最初にスクラブ洗浄及びシャワーリンスの予備洗浄を行った。次に基板１９をステンレス（ＳＵＳ３１６）製の洗浄キャリア２０に載せて、第１槽に浸漬して超音波洗浄（周波数１００ｋＨｚ）を実施した。超音波のパワーは最初に４．８ｋＷ（超音波のパワー密度で１．２Ｗ／ｃｍ２）で１０分、次に超音波のパワーを１．６ｋＷ（超音波のパワー密度で０．４Ｗ／ｃｍ２）で１０分とした。４．８ｋＷの場合、目視でキャビテーションの発生が確認され、１．６ｋＷの場合、キャビテーションは発生しなかった。その後、超音波を停止した。
【００４９】
次に基板を第２槽に移動して、２分間超音波リンス（周波数１００ｋＨｚ、１．６ｋＷ）を行い、次に基板を第３槽に移して２分間超音波リンス（周波数１００ｋＨｚ、１．６ｋＷ）を行い、最後に第４槽に移して５分間浸漬後基板をゆっくりと引き上げて乾燥した。
【００５０】
（実施例２）
第１槽の洗浄条件として最初の超音波のパワーを４．８ｋＷ（超音波のパワー密度で１．２Ｗ／ｃｍ２）にして５分保持し、１０分間で超音波のパワーを１．６ｋＷ（超音波のパワー密度で０．４Ｗ／ｃｍ２）まで下げ、そのパワーで５分保持して超音波洗浄を行った他は、実施例１と同様の方法で大型フォトマスク基板１９を洗浄した。
【００５１】
（実施例３）
図１と同様の洗浄槽を並べた４槽式洗浄機の第１槽の洗浄液を、オゾン水（オゾン濃度１０ｐｐｍ、炭酸ガスを溶存させてｐＨを５に調整）、第２槽の洗浄液をアンモニア水素水（水素濃度１ｐｐｍ、アンモニア濃度１〜５ｐｐｍでｐＨを９に調整）、第３槽の洗浄液を冷純水、第４槽の洗浄液を温純水とした。各々の洗浄液は循環ポンプ１５を用いて３００Ｌ／ｍｉｎで０．２μｍのフィルター１６を通して循環させた。また、いずれの槽も新しい洗浄液（第１〜３槽は２５℃、第４槽は４０℃）を貯液槽１４の上部から３０Ｌ／ｍｉｎ供給し、排出口２１から３０Ｌ／ｍｉｎ排出を行った。
【００５２】
次に、鏡面研磨した石英ガラス製の大型フォトマスク基板１９（大きさ１２２０×１４００ｍｍ）を準備して、以下の手順で洗浄した。
【００５３】
最初にスクラブ洗浄及びシャワーリンスの予備洗浄を行った。次に基板をステンレス（ＳＵＳ３１６）製の洗浄キャリア２０に載せて、第１槽に浸漬して超音波洗浄（周波数１００ｋＨｚ）を実施した。超音波のパワーは最初に４．８ｋＷ（超音波のパワー密度で１．２Ｗ／ｃｍ２）で５分、次に超音波のパワーを１．２ｋＷ（超音波のパワー密度で０．３Ｗ／ｃｍ２）で５分とした。その後、超音波を停止した。
【００５４】
次に基板１９を第２槽に移動した。超音波のパワーは最初に４．８ｋＷ（超音波のパワー密度で１．２Ｗ／ｃｍ２）で５分、次に超音波のパワーを１．２ｋＷ（超音波のパワー密度で０．３Ｗ／ｃｍ２）で５分とした。その後、超音波を停止した。
【００５５】
次に基板を第３槽に移して２分間超音波リンス（周波数１００ｋＨｚ、１．２ｋＷ）を行い、最後に第４槽に移して５分間浸漬後基板をゆっくりと引き上げて乾燥した。第１槽と第２槽のいずれにおいても４．８ｋＷの場合、目視でキャビテーションの発生が確認され、１．２ｋＷの場合、キャビテーションは発生しなかった。
【００５６】
（比較例１）
第１槽の洗浄条件として超音波のパワーを４．８ｋＷ（超音波のパワー密度で１．２Ｗ／ｃｍ２）で２０分間の超音波洗浄を行った他は、実施例１と同様の方法で同じサイズの大型フォトマスク基板１９を洗浄した。
【００５７】
（比較例２）
第１槽の洗浄条件として超音波のパワー密度を４．８ｋＷ（超音波のパワー密度で１．２Ｗ／ｃｍ２）にして１０分間の超音波を行い、第２槽の洗浄条件として超音波のパワーを４．８ｋＷ（超音波のパワー密度で１．２Ｗ／ｃｍ２）で１０分間の超音波を行った他は、実施例３と同様の方法で同じサイズの大型フォトマスク基板１９を洗浄した。
【００５８】
【表１】
2010266728.tif 000003
表１に実施例１〜３、比較例１、２における第１槽の液中パーティクルの量（超音波印加時の最大値、超音波停止直前の値）、及び大型フォトマスク基板をレーザー欠陥検査装置で１μｍ以上の基板表面パーティクル数を調べた結果を示す。基板表面パーティクル数は１枚の基板の両面を測定してその平均とした。なお、液中パーティクルの量は貯液槽１４に液中パーティクルカウンター（リオン社製、商品名「ＫＳ−４０Ｂ」）のチューブを投入して、シリンジポンプにより１回当たり１０ｍＬの洗浄液を取り込み、１ｃｍ３あたりのパーティクルの量を求めた。
【００５９】
表１より、実施例１〜３では比較例１、２に比べて第１槽の超音波停止直前の液中パーティクルの量が減少し、最終的にフォトマスク基板に付着したパーティクルも少ないものとなった。
【産業上の利用可能性】
【００６０】
表面パーティクルが十分に除去されたフラットパネルディスプレイの露光装置に用いるフォトマスク基板を製造することができる。
【符号の説明】
【００６１】
１１  洗浄液
１２  洗浄槽
１３  濾過した洗浄液の導入口
１４  貯液槽
１５  循環ポンプ
１６  フィルター
１７  超音波振動子
１８  超音波電源
１９  大型フォトマスク基板
２０  洗浄キャリア
２１  排出口
【図１】
2010266728.tif 000004